(57)【要約】【課題】無線接続可能なカメラにおいて、Ｗｅｂサービスに画像を投稿するための設定、更新を行う際に特別な操作をせずにカメラとサーバーの設定状況を示すこと。【解決手段】カメラ、サーバー間のＷｅｂサービス設定の更新操作において、ユーザー操作ごとにサーバーの設定状況に合わせたガイダンス表示を行うことによりユーザビリティが向上する。【選択図】  図７
2015035115.tif 000002
【特許請求の範囲】
【請求項１】
無線接続機能と、
カメラとサーバーの連携設定を行う機能と、
カメラからＳＮＳのＷｅｂサービスに投稿するための設定をサーバーに行うこと機能と、
Ｗｅｂサービスの設定内容を変更する機能と
カメラとサーバーの連携設定を解除する機能と
サーバーの設定内容を無線経由でカメラに書き込むことができる機能をもった画像転送装置において、
サーバーから受信した設定情報とカメラの状態に合わせて通知画面を表示することを特徴とする画像転送装置。
【請求項２】
カメラから更新処理をしたときにサーバーから受信した設定情報からカメラとサーバーの連携設定が解除されている場合、通知画面を表示し設定情報を削除することを特徴とする請求項１に記載の画像転送装置。
【請求項３】
Ｗｅｂサービスに接続したときにサーバーから受信した設定情報からカメラとサーバーの連携設定が解除されている場合、通知画面を表示し設定情報を削除することを特徴とする請求項１に記載の画像転送装置。
【請求項４】
Ｗｅｂサービスに接続したときにサーバーから受信した設定情報からＷｅｂサービスの設定が更新されている場合、通知画面を表示し情報の更新を行うことを特徴とする請求項１に記載の画像転送装置。
【請求項５】
カメラから更新処理をしたときにサーバーから受信した設定情報からＷｅｂサービスの設定が更新されている場合、通知画面を表示せずに情報の更新を行うことを特徴とする請求項１に記載の画像転送装置。
【発明の詳細な説明】
【技術分野】
【０００１】
本発明は、カメラからインターネットに接続してＷｅｂサービスに画像を投稿するための設定を行う際のガイダンス表示に関するものである。
【背景技術】
【０００２】
近年、デジタルカメラやデジタルカメラを搭載した機器が急速に普及している。これらの機器では、撮影した画像情報をデジタルデータのファイルとして、機器に内蔵または装着されたメモリカード等の記録メディアに記録することが一般的である。そして、画像データファイル形式のため、通信によって容易に画像情報を送受信可能である。一方、モバイル端末などの機器間での無線通信も普及してきており、無線機能が搭載されたデジタルカメラも少なくない。デジタルカメラからインターネット接続を行い、撮影した画像を写真投稿サービスやクラウドサービスなどのＷｅｂサービスに投稿することも可能になってきている。
【０００３】
無線通信を利用して外部装置に対してデータ送信を行うには、カメラに接続先に応じた設定を行う必要がある。Ｗｅｂサービスに接続して画像を投稿する機能を専用のサーバーを介して行っている場合、事前にカメラとサーバーとで設定を行わなければならない。まずはカメラと専用サーバーとの間で接続設定を行い、カメラから専用サーバーに接続できる状態にする。その後、専用サーバーに対してユーザーアカウントの設定を行ったうえで画像を投稿するＷｅｂサービスの設定を行い、その設定をカメラに反映することでカメラから各Ｗｅｂサービスに画像の投稿ができるようになる。
【０００４】
このように事前の設定を行えばデジタルカメラからＷｅｂサービスに画像を投稿することができる。しかし設定が複雑になるため、設定作業が苦手なユーザーの中には設定ができないためにカメラからの画像投稿をあきらめてしまうという問題がある。特許文献１では、メンテナンス作業を行う際のユーザーの操作性改善のために端末の指示入力に基づいて操作手順を表すコンテンツを画像処理装置に送信し、ユーザーを選ぶことなく適切なメンテナンス作業をアシストする方法が開示されている。
【先行技術文献】
【特許文献】
【０００５】
【特許文献１】特開２０１０−１５７９２２号公報
【発明の概要】
【発明が解決しようとする課題】
【０００６】
上述の特許文献１に開示された従来技術では、操作手順を表示することでメンテナンス対象の位置情報を特定した上で現在の状況に合わせたメンテナンス作業のアシスト情報を得ることができる。しかしながら、部品を特定する情報や位置情報取得手段が必要であり、その情報を使って機器ごとにメンテナンスの指示を与えるのみであり、実際のメンテナンスの進行状況に合わせてメンテナンス担当が自ら情報端末に表示された作業状態の進行状況を進めなければならない。
【０００７】
サーバー側で自由にＷｅｂサービスの設定が変えられる状況において、カメラとサーバーの設定が違っている状況は多く発生するが、カメラ操作が苦手なユーザーでも特別な操作をせずに現在の設定状況を理解できるようなガイダンス表示が必要である。
【０００８】
本発明は、無線接続可能なカメラにおいて、Ｗｅｂサービスに画像を投稿するための設定、更新を行う際に特別な操作をせずにカメラとサーバーの状況を示すことができることを特徴とする。
【課題を解決するための手段】
【０００９】
本発明の画像転送装置は、
無線接続機能と、
カメラとサーバーの連携設定を行う機能と、
カメラからＳＮＳなどのＷｅｂサービスに投稿するための設定をサーバーに行うこと機能と、
Ｗｅｂサービスの設定内容を変更する機能と
カメラとサーバーの連携設定を解除する機能と
サーバーの設定内容を無線経由でカメラに書き込むことができる機能をもった画像転送装置において、
サーバーから受信した設定情報とカメラの状態に合わせて通知画面を表示することを特徴とする。
【発明の効果】
【００１０】
本発明によればカメラ、サーバー間のＷｅｂサービス設定の更新操作で、サーバーの設定状況に合わせたガイダンス表示を行うことによりユーザビリティが向上される。
【図面の簡単な説明】
【００１１】
【図１】実施例１の構成を適用可能な装置の一例としてのデジタルカメラの構成例を示す図
【図２】実施例１の実施形態に係る無線通信装置が表示する相手接続種別の選択画面の一例を示す図
【図３】実施例１の形態に係るデジタルカメラとスマートフォンがサーバーと通信している図
【図４】実施例１の形態に係るデジタルカメラの画面遷移の図
【図５】実施例１の形態に係るデジタルカメラの画面遷移の図
【図６Ａ】実施例１の形態に係るデジタルカメラの画面遷移の図
【図６Ｂ】実施例１の形態に係るデジタルカメラの画面遷移の図
【図７】実施例１の形態に係る写真投稿サービス選択時のデジタルカメラとサーバーの通信処理の流れを示すフローチャート
【図８】実施例１の形態に係る更新ボタン押下時のデジタルカメラとサーバーの通信処理の流れを示すフローチャート
【発明を実施するための形態】
【００１２】
以下に、本発明の好ましい実施の形態を、添付の図面に基づいて詳細に説明する。
【００１３】
［実施例１］
＜１．ハードウェア構成＞
図１は、本発明の実施形態に係る無線通信装置を適用可能な装置の一例としてのデジタルカメラ１００の構成例を示す図である。なお、無線通信装置としては、例えばいわゆるカメラ付き携帯電話（一般にスマートフォンと呼ばれるデバイスも含む）や、タブレットデバイスなどを用いてもよい。１０はレンズバリア、１１は撮影レンズ、１２は絞り機能を備えるシャッターであり、撮像制御部１３によって制御される。
【００１４】
撮像素子１４は光学像を電気信号に変換する、ＣＭＯＳイメージセンサやＣＣＤイメージセンサである。画像処理回路１５は、撮像素子１４からのデータ或いはメモリ制御回路１６からのデータに対して画素補間処理や色変換処理等の画像処理を行う。
メモリ制御回路１６は、画像処理回路１５が出力する画像データを例えばメモリ１８に書き込む。画像表示部１７は例えばLCD等であり、メモリ１８に書き込まれた表示用の画像データはＤ／Ａ変換されて画像表示部１７で表示される。
【００１５】
メモリ１８は撮影した静止画像や動画像を格納するために用いられ、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ１８に対して行うことが可能となる。また、メモリ１８はシステム制御部５０の作業領域としても使用することが可能である。
【００１６】
システム制御部５０は撮影画像の被写体認識処理や、被写体認識結果と管理データの照合処理や、ステータスデータの生成処理など、本実施形態で必要な各種処理を実行すると共に、デジタルカメラ１００全体を制御する。システム制御部５０は例えばＣＰＵ，ＲＡＭ，ＲＯＭを内蔵しており、ＲＯＭに記憶された制御プログラムをＲＡＭにロードしてＣＰＵで実行することにより、デジタルカメラ１００の動作を実現する。不揮発性メモリ５１はシステム制御部５０の動作用の定数、変数、プログラム等を記憶することができる。
【００１７】
画像処理部５２は、静止画のリサイズ処理などの各種画像処理を行う。通信制御部６０はアンテナ６１と接続され、外部機器との無線通信機能を制御する。操作部７０は、ユーザーがデジタルカメラ１００に各種の動作指示を入力するための入力装置群であり、スイッチ、ボタン、ダイヤル、タッチパネル、視線検知によるポインティング、音声認識装置等、様々な入力装置の一つ以上で構成される。
【００１８】
カードコントローラ９０は、メモリカード等の外部記憶媒体とデータの送受信を行う。インタフェース（Ｉ／Ｆ）９１は、メモリカード等の外部記憶媒体とのインタフェースである。コネクタ９２には、メモリカード等の外部記憶媒体が装着可能である。外部記憶媒体９３はメモリカード等の着脱可能な記憶媒体である。記憶媒体着脱検知部９４は、コネクタ９２に外部記憶媒体９３が装着されているか否かを検知する。
【００１９】
図２はデジタルカメラ１００が無線接続を行うために使用する無線メニューの例である。図２の例では、デジタルカメラ、携帯電話機（スマートフォン）、ＰＣ、プリンタ、Ｗｅｂサービスの５つが選択可能なアイコンで表示されている。図２の例はＷｅｂサービスの設定を行う前で雲のアイコンが表示されている。カメラとサーバーとの連携設定が完了したあとは雲アイコンから雲更新アイコンに変化する。
【００２０】
ユーザーは操作部７０を操作していずれかのアイコンを選択し、決定を入力すると、システム制御部５０は、ユーザーが選択したアイコンに対応する相手機器種別をメモリ１８に記憶し接続処理を行う。デジタルカメラ、スマートフォン、ＰCはそれぞれのデバイスに画像を転送することができる。プリンタは画像を転送して印刷を行うことができる。Ｗｅｂサービスは無線接続経由でＷｅｂ上の写真投稿サービスに画像を送信することができる。Ｗｅｂサービスを行うためには、カメラとサーバーの間で事前の設定作業が必要となる。カメラとの連携設定を行うためのサーバーを今後サーバーＡと呼び説明を進める。
【００２１】
Ｗｅｂサービスの画像転送をおこなうためには図２の無線メニューの雲アイコンを選択し、Ｗｅｂ上のサーバーＡとの接続処理を行う。サーバーＡから発行される認証コードを使ってカメラとサーバーＡとの認証手続きを行う。カメラとサーバーＡとの認証が完了したら、サーバーＡ側にカメラの画像を送信する先の各Ｗｅｂサービスの設定を行う。設定内容は、各Ｗｅｂサービスのアカウント設定、サービス固有のグループ設定やカメラにサービスを登録するかなどである。Ｗｅｂサービスごとに設定項目は異なるため、それぞれのサービスに合わせた設定を行う。サーバーＡ側にＷｅｂサービスの設定ができたらサーバーＡへ設定されたＷｅｂサービスの設定情報をカメラに反映する必要がある。
【００２２】
カメラとサーバーＡの連携設定が完了したら、図２の無線メニューの雲アイコンは、雲更新アイコンに変化する。アイコンが変わることでカメラ連携設定が完了しているかどうかを判定することができる。ユーザーはサーバーＡ側のＷｅｂサービスの設定を、ブラウザを用いて容易に変更することができるため、サーバーＡ側の設定とカメラに書き込まれているＷｅｂサービスの設定が一致しているとは限らない。そのため、カメラは各サービスに接続する前に連携設定の有無、Ｗｅｂサービス情報の変更の有無をサーバーＡに確認する必要がある。更新の有無を確認するために雲更新アイコンを選択したときはユーザーが更新を目的にサーバーに接続を行うが、各Ｗｅｂサービスを利用しようとサービスのアイコンを選択したときも設定の確認が必要であり、ユーザーにその状況を知らせる必要がある。
【００２３】
図３はデジタルカメラ１００がＷｅｂ上のサーバーＡと連携接続処理を行うために通信し、サーバーＡ側の設定のためにスマートフォンのブラウザを用いてサーバーＡの設定ページの操作を行っている接続形態の図の例である。
【００２４】
図２の無線メニューから雲アイコンを選択すると、無線の接続画面に遷移しデジタルカメラ１００とＷｅｂ上のサーバーＡは無線で接続を行う。そこでサーバーＡとカメラはサーバーＡから発行される認証コードをもとに認証処理を行う。認証処理中にサーバーＡ上の操作も必要なため、スマートフォンなどのブラウザを用いて操作を行う。
【００２５】
認証が完了し、カメラとサーバーＡの連携設定が終わったら、スマートフォンなどのブラウザを利用してサーバーＡ側にＷｅｂサービスのアカウント設定を行う。なお、カメラとサーバーＡの認証が完了する前でも、Ｗｅｂサービスの設定はユーザーに紐づいているためＷｅｂサービスのアカウント設定を先に行っておくこともできる。この際に使用する無線接続の方法は既知のものである。
【００２６】
図４はＷｅｂサービスの設定更新を行ったときにＷｅｂサービスの更新がなかった場合のカメラの画面遷移を示している。カメラ連携設定済みなので無線メニューには各Ｗｅｂサービスのアイコンと雲更新アイコンが表示されている(４０１)。無線メニューから雲更新アイコンを選択すると、無線接続の画面に遷移する（４０２）。無線接続を行ったことがある場合、無線の接続情報を保持していて２回目以降の接続では自動的に接続することができる。サーバーＡに接続されるとＷｅｂサービス情報が更新されているかどうかを確認する（４０３）。Ｗｅｂサービスの変更がなかった場合は変更がない旨を通知するガイダンス表示を行う（４０４）。
【００２７】
図５はＷｅｂサービスの設定更新を行ったとき、Ｗｅｂサービスに接続しようとしたときにカメラ連携設定が解除されていた場合のカメラの画面遷移を示している。カメラ連携設定済みなので無線メニューには各Ｗｅｂサービスのアイコンと雲更新アイコンが表示されている（５０１）。更新処理を行うために雲更新アイコンを選択すると、無線の接続画面に遷移する（５０２）。無線接続を行ったことがある場合、無線の接続情報を保持していて２回目以降の接続では自動的に接続することができる。サーバーＡに接続されるとＷｅｂサービス情報が更新されているかどうかを確認する（５０３）。
【００２８】
そこでカメラ連携設定が解除されていた場合、カメラ側にカメラ連携解除通知がくるため、カメラ連携設定が解除されている旨を示すガイダンス表示を行う（５０４）。ガイダンス表示を消すと連携設定前の雲アイコン表示の無線メニューに戻る（５０５）。５０１でＷｅｂサービスに接続しようとした場合もカメラ連携設定が解除されていた場合は同様の動きとなる。
【００２９】
図６ＡはＷｅｂサービスに接続しようとしたときにＷｅｂサービスの設定が変更になっていた場合のカメラの画面遷移を示している。カメラ連携設定済みなので無線メニューには各Ｗｅｂサービスのアイコンと雲更新アイコンが表示されている（６０１Ａ）。Ｗｅｂサービスに接続するためにＷｅｂサービスのアイコンを選択すると、無線の接続画面に遷移する（６０２Ａ）。無線接続を行ったことがある場合、無線の接続情報を保持していて２回目以降の接続では自動的に接続することができる。サーバーＡに接続されるとＷｅｂサービス情報が更新されているかどうかを確認する（６０３Ａ）。そこでＷｅｂサービスの設定が変更されていた場合、カメラ側にＷｅｂサービス設定変更通知くるため、Ｗｅｂサービスの設定が変更されている旨を示すガイダンス表示を行う（６０４Ａ）。ガイダンス表示を消すと更新後のＷｅｂサービスの情報が反映された状態の無線メニューに戻る（６０５Ａ）。
【００３０】
図６ＢはＷｅｂサービスの更新を行おうとしたときにＷｅｂサービスの設定が変更になっていた場合のカメラの画面遷移を示している（６０１Ａ）。Ｗｅｂサービスの設定更新を行うために雲更新アイコンを選択すると、無線の接続画面に遷移する（６０２Ｂ）。無線接続を行ったことがある場合、無線の接続情報を保持していて２回目以降の接続では自動的に接続することができる。サーバーＡに接続されるとＷｅｂサービス情報が更新されているかどうかを確認する（６０３Ｂ）。そこでＷｅｂサービスの設定が変更されていた場合、カメラ側にＷｅｂサービス設定変更通知くる。ここまでの動作は図６ＡのＷｅｂサービス更新フローと同様であるが、雲更新アイコンから接続した場合はユーザーが意思を持って更新処理を行おうとしているため、Ｗｅｂサービスの設定が変更されている旨を示すガイダンス表示は行わない。６０３ＢでＷｅｂサービスの情報が更新されたら無線メニューに戻る（６０４Ｂ）。
【００３１】
図７は本実施形態に係るデジタルカメラ１００からＷｅｂサービスへの接続を行った際の処理の流れと表示されるガイダンスを示すフローチャートである。デジタルカメラ１００はサーバーＡとカメラの連携設定が完了しているため、無線メニュー上には設定済みの各Ｗｅｂサービスのアイコンと雲更新アイコンが表示されている。各Ｗｅｂサービスの中から接続したいＷｅｂサービスのアイコンを選択する（Ｓ７０１）。
【００３２】
デジタルカメラ１００はすでに他の機器およびカメラ連携のためにサーバーＡに接続したことがあるため、アクセスポイント情報などの無線接続パラメータは保持しており、無線接続処理は保持している情報を用いて自動的に接続することができる。Ｓ７０２で選択したＷｅｂサービスへ接続するためにサーバーＡへ接続を行う。Ｓ７０３でサーバーＡとのカメラ連携設定が済んでいるかを判定し、カメラ連携設定が行われていない場合はカメラ連携設定がされていない旨を示すガイダンス画面を表示し（Ｓ７０４）、サーバーＡとのカメラ連携設定を削除する（Ｓ７０５）。サーバーＡ上の連携設定はブラウザを用いて自由に設定の変更ができるため、カメラからＷｅｂサービスに接続しに行ったときにはカメラ連携設定が解除されているということも想定される。
【００３３】
Ｓ７０３でカメラ連携設定ができている場合、サーバーＡ上に設定されたＷｅｂサービス設定が更新されているかどうかをチェックする（Ｓ７０６）。更新されている場合は設定が更新されている旨を示すガイダンスを表示し（Ｓ７０８）、Ｗｅｂサービスの更新処理を行う。（Ｓ７０９）Ｓ７０６でＷｅｂサービスが更新されていなかった場合はそのまま選択したＷｅｂサービスへ接続を行う（Ｓ７０７）。Ｓ７０４やＳ７０８のようにガイダンス画面が表示された場合は、ガイダンスを消すと無線メニューを表示する（Ｓ７１０）。
【００３４】
図８は本実施形態に係るデジタルカメラ１００からＷｅｂサービス設定の更新を行った際の処理の流れと表示されるガイダンスを示すフローチャートである。デジタルカメラ１００はサーバーＡとカメラの連携設定が完了しているため、無線メニュー上には設定済みの各Ｗｅｂサービスのアイコンと雲更新アイコンが表示されている。更新処理を行うには無線メニュー上の雲更新アイコンを選択する（Ｓ８０１）。
【００３５】
デジタルカメラ１００はすでに他の機器およびカメラ連携のためにサーバーＡに接続したことがあるため、アクセスポイント情報などの無線接続パラメータは保持しており、無線接続処理は保持している情報を用いて自動的に接続することができる。Ｓ８０２で設定更新のためにサーバーＡへ接続を行う。Ｓ８０３でサーバーＡとのカメラ連携設定が済んでいるかを判定し、カメラ連携設定が行われていない場合はカメラ連携設定がされていない旨を示すガイダンス画面を表示し（Ｓ８０４）、サーバーＡとのカメラ連携設定を削除する（Ｓ８０５）。サーバーＡ上の連携設定はブラウザを用いて自由に設定の変更ができるため、カメラからＷｅｂサービスに接続しに行ったときにはカメラ連携設定が解除されているということも想定される。
【００３６】
Ｓ８０３でカメラ連携設定ができている場合、サーバーＡ上に設定されたＷｅｂサービス設定が更新されているかどうかをチェックする（Ｓ８０６）。更新されている場合はＷｅｂサービスの更新処理を行う（Ｓ８０８）。更新ボタンから更新を行ったため、ここでは更新の確認画面は表示しない。Ｓ８０６でＷｅｂサービスが更新されていなかった場合はそのまま選択したＷｅｂサービスへ接続を行う（Ｓ８０７）。Ｓ８０４のようにガイダンス画面が表示された場合は、ガイダンスを消すと無線メニューを表示する（Ｓ８０９）。
【００３７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００３８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバーに本発明を形成するコンピュータプログラムを記憶し、接続のあったクライアントコンピュータがコンピュータプログラムをダウンロードしてプログラムするような方法も考えられる。
【符号の説明】
【００３９】
１０  レンズバリア
１１  撮影レンズ
１２  シャッター
１３  撮像制御部
１４  撮像素子
１５  画像処理回路
１６  メモリ制御回路
１７  画像表示部
１８  メモリ
【図１】
2015035115.tif 000003
【図２】
2015035115.tif 000004
【図３】
2015035115.tif 000005
【図４】
2015035115.tif 000006
【図５】
2015035115.tif 000007
【図６Ａ】
2015035115.tif 000008
【図６Ｂ】
2015035115.tif 000009
【図７】
2015035115.tif 000010
【図８】
2015035115.tif 000011